(57)【要約】      （修正有）【課題】簡単な操作でケーブルを折り畳むことができ、折り畳んだ状態でケーブルを収納しておくことのできる構造を提供する。【解決手段】折り畳み式ケーブルは、複数の中空のユニットケース１０ａが直列に繋げられて形成されたケーブルケースと、ケーブルケースの内面に所定の位置で支持されて、直列に繋げられたケーブルケース内を延在するケーブル１６とを含む。ユニットケースが直線状に整列した状態で、ユニットケースのうち隣り合う２つの間の接続部分において、ケーブル１６はＷ字状に折り曲げられる。【選択図】図７
2010166713.tif 000002
【特許請求の範囲】
【請求項１】
複数の中空のユニットケースが直列に繋げられて形成されたケーブルケースと、
該ケーブルケースの内面に所定の位置で支持されて、直列に繋げられた前記ケーブルケース内を延在するケーブルと
を有し、
前記ユニットケースが直線状に整列した状態で、前記ユニットケースのうち隣り合う２つの間の接続部分において、前記ケーブルはＷ字状に折り曲げられている折り畳み式ケーブル。
【請求項２】
請求項１記載の折り畳み式ケーブルであって、
前記ケーブルの外周の所定の位置に、取り付け孔が形成された取り付け部が形成され、
前記ユニットケースの内面に設けられたケーブル固定用突起が前記取り付け孔に挿入されることで、前記ケーブルは前記ケーブルケース内に収容されて固定される折り畳み式ケーブル。
【請求項３】
請求項１又は２記載の折り畳み式ケーブルであって、
前記ユニットケースのうち、隣り合う２つのユニットケースの間の接続部分に弾性部材が設けられ、該弾性部材により該２つのユニットケース同士は互いに引っ張り合う折り畳み式ケーブル。
【請求項４】
請求項３記載の折り畳み式ケーブルであって、
前記接続部分において、前記２つのユニットケースの各々の端部から延出する逆曲がり防止部が設けられ、前記ユニットケースが直線状に配置された際に、該逆曲がり防止部の端面が互いに当接する折り畳み式ケーブル。
【請求項５】
請求項２乃至４のうちいずれか一項記載の折り畳み式ケーブルであって、
前記前記ケーブル固定用突起の近傍にケーブル形状維持用突起が設けられ、前記ケーブルは該ケーブル形状維持用突起により折り返されることでＷ字状に折り曲げられる折り畳み式ケーブル。
【発明の詳細な説明】
【技術分野】
【０００１】
本発明は折り畳むことのできるケーブルに関する。
【背景技術】
【０００２】
各種電気機器や家電製品には、コンセント等の電源に接続するための電源コード又は電源ケーブルが設けられている。機器を使用しないときには、電源ケーブルを小さくまとめておくか、あるいは機器内やケース内に収納しておくことが好ましい。
【０００３】
電源ケーブルを小さくまとめておくために、電源ケーブルを適当な長さに折り畳んだり適当な大きさのループに巻き取ってひも状のもので結んだり、コードで留めておくことが一般的である。しかし、機器を使用しないときに電源ケーブルを適当な長さにまとめておいたとしても、電源ケーブルは依然として機器から延出しており、見た目がよくないだけでなく、電源ケーブルを手や足で引っかけたりするおそれがある。
【０００４】
機器を使用しないときに、電源ケーブルをリールに巻き付けて収納する場合もある。機器の使用時に電源プラグを引っ張ってリールから繰り出し、機器の使用が終了したら電源ケーブルをリールに巻き取らせて収容する。このようなリールは便利であるが、機器内にリールを収容するスペースを確保する必要があり、且つリール自体のコストが高いため、全ての機器に採用できるわけではない。
【０００５】
そこで、電源ケーブル又は電源コードを多数の棒状のリンクに沿うように取り付けて、リンクを伸縮することで電源ケーブルの長さを任意に調整することのできるコード用ホルダが提案されている（例えば、特許文献１参照。）。
【０００６】
また、ケーブルに多数の折り返し部が形成されるように、ケーブルを折り曲げた部分にキャップ状固定装置を取り付けてケーブルを折り畳んだ状態に保持することが提案されている（例えば、特許文献２参照。）。
【０００７】
また、フラットケーブルに適当な間隔でホルダを取り付け、ホルダの間でフラットケーブルを撓ませて折り畳むことが提案されている（例えば、特許文献３参照。）。この場合、ホルダ間にスプリングを取り付けてホルダの間隔が広がる方向に付勢しておくことで、フラットケーブルを常に同じ形状に延したり折り畳んだりすることができる。
【先行技術文献】
【特許文献】
【０００８】
【特許文献１】特開平８−６４２９３号公報
【特許文献２】特開平４−３４０２９６号公報
【特許文献３】実開平６−５２１８０号公報
【発明の概要】
【発明が解決しようとする課題】
【０００９】
特許文献１で提案されているコード用ホルダを用いた折り畳み構造では、リンクの回動軸の周囲にケーブルを巻き付けながらリンクに沿ってケーブル取り付けているため、リンクの回動軸の部分でケーブルが小さな曲率で折れ曲がり、ケーブルが損傷するおそれがある。
【００１０】
特許文献２で提案されているキャップ状固定装置による折り畳み構造では、キャップ状固定装置を取り付けてケーブルを折り曲げるだけであり、折り曲げたケーブルを収納する部分を設ける必要がある。また、キャップ状固定装置によりケーブルを小さな曲率で折り曲げるため、ケーブルが損傷するおそれがある。
【００１１】
特許文献３で提案されている折り畳み構造は、特にフラットケーブルに適用するものであり、単線のケーブルには適用できない。また、折り畳んだフラットケーブルを収納する部分を設ける必要がある。
【００１２】
そこで、簡単な操作でケーブルを折り畳むことができ、折り畳んだ状態でケーブルを収納しておくことのできるケーブルの折り畳み構造が望まれている
【課題を解決するための手段】
【００１３】
複数の中空のユニットケースが直列に繋げられて形成されたケーブルケースと、該ケーブルケースの内面に所定の位置で支持されて、直列に繋げられた前記ケーブルケース内を延在するケーブルとを有し、前記ユニットケースが直線状に整列した状態で、前記ユニットケースのうち隣り合う２つの間の接続部分において、前記ケーブルはＷ字状に折り曲げられている折り畳み式ケーブルが提供される。
【発明の効果】
【００１４】
上述の折り畳み式ケーブルによれば、簡単な操作でケーブルケースを折り畳むことができ、それに伴いケーブルケースの内部に収容されているケーブルも容易に折り畳むことができる。
【図面の簡単な説明】
【００１５】
【図１】一実施形態による折り畳み式ケーブルの全体を示す図である。
【図２】完全に延して直線状にした折り畳み式ケーブルを示す図である。
【図３】完全に折り畳んだ折り畳み式ケーブルを示す図である。
【図４】折畳み式ケーブルケースの内部を示す図である。
【図５】電源ケーブルを折り畳み式ケーブルケースから外した状態を示す図である。
【図６】ユニットケースの内部を示す図である。
【図７】図４におけるユニットケース同士の接続部分を拡大して示す図である。
【図８】折り畳み式ケーブルケースを折り畳む途中の状態におけるユニットケース同士の接続部を拡大して示す図である。
【図９】図８におけるユニットケース同士の接続部分を拡大して示す図である。
【図１０】折り畳み式ケーブルケースを完全に折り畳んだ状態におけるユニットケース同士の接続部分を拡大して示す図である。
【図１１】折り畳み式ケーブルを組み立てる工程を説明するための図である。
【図１２】ユニットケースにケーブル形状維持用突起としてピンを設けた場合の、ユニットケース同士の接続部分を拡大して示す図である。
【図１３】電源ケーブルをユニットケース内に収容する際の電源ケーブルの状態を示す図である。
【図１４】折り畳み式ケーブルケースを折り畳む途中の状態におけるユニットケース同士の接続部を拡大して示す図である。
【図１５】折り畳み式ケーブルケースを完全に折り畳んだ状態におけるユニットケース同士の接続部分を拡大して示す図である。
【図１６】折り畳み式ケーブルの途中にＡＣアダプタを設けた例を示す図である。
【図１７】図１６において折り畳み式ケーブルケースを折り畳んだ状態を示す図である。
【発明を実施するための形態】
【００１６】
図１は一実施形態による折り畳み式ケーブルの全体を示す図である。図１に示す折り畳み式ケーブルは、折り畳み式ケーブルケース１０に、一端にＡＣプラグ１２が接続され他端に電源プラグ１４が接続された電源ケーブル１６を収容して形成される。折り畳み式ケーブルケース１０に収容するケーブルは電源ケーブルに限ることなく、機器接続用ケーブルや他のどのようなケーブルでもよい。
【００１７】
折り畳み式ケーブルケース１０は、適当な長さの複数のユニットケース１０ａを直列に繋げたもので、各ユニットケース１０ａを電源ケーブル１６が貫通して延在する。ユニットケース１０ａの間の接続部分は柔軟な蛇腹カバー２２で覆われている。
【００１８】
ユニットケース１０ａは金属板や樹脂板で形成することができるが、樹脂成形品であることが好ましい。蛇腹カバー２２は薄いゴムやプラスチックで形成することができる。
【００１９】
図１に示す状態は、折り畳み式ケーブルケース１０が適度に折り畳まれた状態であり、折り畳み式ケーブルケース１０が折り畳まれると内部の電源ケーブル１６も折り畳まれる。図２は折り畳み式ケーブルケース１０を完全に延して直線状にした状態を示し、図３は折り畳み式ケーブルケース１０を完全に折り畳んだ状態を示す。
【００２０】
電源ケーブル１６を使用しないときは、図３に示すように折り畳み式ケーブルケース１０を折り畳んだ状態で、ひも状のもので縛ったり、バンドを巻き付けて折り畳んだ状態に保持しておくことが好ましい。折り畳んだ状態で固定しておくためのバンドやストラップを折り畳み式ケーブルケース１０に予め取り付けておくこととしてもよい。
【００２１】
図４は折り畳み式ケーブルケース１０の内部を示す図である。図４において、折り畳み式ケーブルケース１０が完全に延されて一直線となった状態が示されている。図５は電源ケーブル１６を折り畳み式ケーブルケース１０から外した状態を示す図である。図６はユニットケース１０ａの内部を示す図である。
【００２２】
電源ケーブル１６には、図５に示すように、孔が空いた取り付け部１６ａが形成されている。取り付け部１６ａは電源ケーブル１６の外側被覆を例えば塩化ビニールで形成する際に一体的に形成することができる。ユニットケース１０ａの内部に設けられたケーブル固定用突起であるピン１０ｂを取り付け部１６ａの孔に差し込むことで、電源ケーブル１６はユニットケース１０ａの内部に取り付けられて収容される。取り付け部１６ａの孔の内径は、ピン１０ｂの外径より僅かに大きい程度が好ましい。取り付け部１６ａがピン１０ｂを中心に回転可能とすることで、ユニットケース１０ａの接続部分における電源ケーブル１６に変形の自由度を持たせることができる。ユニットケース１０ａが樹脂成形品である場合、ピン１０ｂをユニットケース１０ａに一体的に形成することができる。
【００２３】
図７は図４におけるユニットケース１０ａ同士の接続部分を拡大して示す図である。ユニットケース１０ａ同士の接続部分において、電源ケーブル１６はＷ字状に折り曲げられている。すなわち、図７に示すように、電源ケーブル１６は、一方のユニットケース１０ａにおけるピン１０ｂの位置から斜め下方に向かって延在し、ユニットケース１０ａの出口付近で折り返されて斜め上方に向かって延在する。そして、電源ケーブル１６は、接続部分の中央でさらに折り返されて下方に向かって延在し、隣のユニットケース１０ａの入り口付近でさらに折り返されて斜め上方に向かって延在する。このように、接続部分において緩やかに折り返す部分を３箇所形成することにより、折り畳み式ケーブルケース１０を折り畳んだ際に、電源ケーブル１６は余裕を持って１８０度折り返すことができる。
【００２４】
ユニットケース１０ａの端部からは逆曲がり防止部１０ｃが延出している。折り畳み式ケーブルケース１０が延ばされて直線状になった状態において、ユニットケース１０ａ同士の接続部分において、図７に示すように、両側のユニットケース１０ａから延出した逆曲がり防止部１０ｃの先端面は互いに当接する。逆曲がり防止部１０ｃの先端は９０度折れ曲がって、先端面はある程度広い面となっており、両側のユニットケース１０ａが直線状に整列すると（図４及び図７に示す状態）、両側の逆曲がり防止部１０ｃの先端が、面と面で当接する。
【００２５】
ここで、両側のユニットケース１０ａの間にはコイルバネ２０が設けられており、両側のユニットケース１０ａを互いに引っ張りあうように付勢している。したがって、両側の逆曲がり防止部１０ｃの先端が面と面で当接し、コイルバネ２０の引っ張り力により面と面が互いに押圧された状態となると安定した状態となり、面と面で当接した状態を維持しようとする力が働く。これにより、ユニットケース１０ａが折り畳まれた状態（図１０に示す状態）から回動して図９に示す状態を経て図７に示す状態となると、逆側には折れ曲がり難くなる。したがって、図１０に示す折り畳まれた状態から、コイルバネ２０の引っ張り力により両側のユニットケース１０ａは自然に開く方向に回動し、図７に示す直線状の状態となるとその状態で維持される。
【００２６】
本実施形態では、コイルバネ２０により両側のユニットケース１０ａを付勢して引っ張っているが、両側のユニットケース１０ａを付勢する手段は、コイルバネに限られない。例えば、トーションバネやゴムのような弾性体を両側のユニットケース１０ａの間に設けて両側のユニットケース１０ａを付勢することもできる。
【００２７】
本実施形態では、両側のユニットケース１０ａの間の接続部分を覆うように蛇腹カバー２２が設けられる。蛇腹カバー２２はプラスチックやゴムなどの薄いシートで形成される。蛇腹カバー２２は、接続部分における電源ケーブル１６及び逆曲がり防止部１０ｃを覆うように、両側のユニットケース１０ａの端部に取り付けられる。
【００２８】
なお、蛇腹カバー２２は非常に薄いシートであり、図１０に示すようにユニットケースが完全に折り畳まれた状態では、蛇腹カバー２２の折り曲げの内側の部分は２つの逆曲がり防止部１０ｃの間に入りこむこととなる。２つの逆曲がり防止部１０ｃの間隔が狭い場合は、逆曲がり防止部１０ｃを僅かに曲げておき、図１０に示す状態で２つの逆曲がり防止部１０ｃの間隔が大きくなるようにすることが好ましい。
【００２９】
次に、上述の折り畳み式ケーブルの組み立て方法について、図１１を参照しながら説明する。
【００３０】
各ユニットケース１０ａは断面が四角形の中空柱状であり、ケーブル固定用突起としてピン１０ｂが一つの側面の内面の両端部付近に設けられている。ピン１０ｂが設けられた内面の反対側の側面は取り外すことができ、図１１（ａ）に示すように、コの字状に開いたユニットケース１０ａとすることができる。逆曲がり防止部１０ｃは、ピン１０ｂが設けられた側面に対して垂直な側面であって、ピン１０ｂから遠い側の側面に取り付けられ、その一部はユニットケース１０ａの端部から延出している。
【００３１】
まず、図１１（ａ）に示すように、逆曲がり防止部１０ｃの先端面を当接させて２つのユニットケース１０ａを一列に配置する。次に、図１１（ｂ）に示すように、電源ケーブル１６の取り付け部１６ａの孔にユニットケース１０ａのピン１０ｂを挿入しながら、電源ケーブル１６をユニットケース１０ａ内に収容する。このとき、ユニットケース１０ａの接続部分において、電源ケーブルが上述のようにＷ字を描くように折り曲げておく。そして、コイルバネ２０の両端を両側のユニットケース１０ａにそれぞれ固定する。
【００３２】
次に、１１（ｃ）に示すように、ユニットケース１０ａの接続部分に蛇腹カバー２２を取り付け、ユニットケース１０ａの開いている側面に側板を取り付けてユニットケース１０ａを閉じる。
【００３３】
同様な方法で、図１１（ｄ）に示すように、ユニットケース１０ａの両側にさらにユニットケースを接続しながら電源ケーブル１６をユニットケース１０ａに収容する。これにより、図１に示すように折り畳み式ケーブルケース１０内に電源ケーブル１６が収容された折り畳み式ケーブルを組み立てる。
【００３４】
以上のようにして組み立てた折り畳み式ケーブルは、ユニットケース１０ａの接続部分で折り曲げることで、図３に示すようにユニットケース１０ａが重なり合うように容易に折り畳むことができる。したがって、機器を使用しないときには、折り畳み式ケーブルを折り畳んだ状態として小さくまとめておくことができ、大きな保管場所を必要としない。
【００３５】
また、ユニットケース１０ａはコイルバネ２０で互いに引っ張りあう方向に付勢されており、折り畳まれた状態から自然と開いて図２に示すように直線状になる。したがって、折り畳み式ケーブルを使用するときに、いちいち全てのユニットケース１０ａを延ばして直線状にする必要はなく、電源ケーブル１６を容易に使用可能状態にすることができる。
【００３６】
また、電源ケーブル１６は折り畳み式ケーブルケース１０内に収容され、比較的大きな曲率で折り畳む方向にしか曲がらないため、ケーブルに不要なねじれが無い。これにより、折り畳み時に電源ケーブル１６に無理な力が加わらず、電源ケーブル１６の損傷を防止することができる。
【００３７】
また、電源ケーブル１６はユニットケース１０ａ及び蛇腹カバー２２で覆われているため、機器に取り付けて電源プラグ１４をコンセントに差し込んだ場合でも、電源ケーブル１６が足に絡みついたり、引っ掛かったりすることが少なくなる。
【００３８】
上述の実施形態では、接続部分において電源ケーブル１６をＷ字状に曲げて収容しているだけであるので、折り畳みを繰り返しているうちにＷ字状が変形してしまうおそれがある。そこで、ユニットケース１０ａの接続部分における電源ケーブル１６の形状（Ｗ字状に曲げられた形状）を維持するための構造を、ユニットケース１０ａ内に設けることとしてもよい。
【００３９】
電源ケーブル１６の形状（Ｗ字状に曲げられた形状）を維持するための構造は、図１２に示すように、ユニットケース１０ａ内においてピン１０ｂの他にケーブル形状維持用突起としてピン１０ｄを設けたものである。ピン１０ｄは各ユニットケース１０ａの長手方向の端部付近で、電源ケーブル１６が折り返される位置に設けられる。図１２において、ピン１０ｄはケーブル固定用突起であるピン１０ｂよりもユニットケース１０ａの長手方向の端部側の位置で、且つユニットケース１０ａの幅方向においてピン１０ｂの反対側の位置に設けられる。ユニットケース１０ａが樹脂成形品である場合、ピン１０ｄをユニットケース１０ａに一体的に形成することができる。
【００４０】
図１３は、電源ケーブル１６をユニットケース１０ａ内に収容する際の電源ケーブル１６の状態を示す図である。電源ケーブル１６は、取り付け部１６ａがケーブル固定用突起である１０ｂに取り付けられた状態で、ケーブル形状維持用突起であるピン１０ｄに掛けられて折り返されてから接続部分に延在するようにユニットケース１０ａ内に収容される。
【００４１】
ピン１０ｄを設けることにより、接続部分において電源ケーブル１６のＷ字状の折り返し部分にピン１０ｄが設けられるため、この部分で電源ケーブル１６はピン１０ｄの位置を大きく外れて移動することが無い。このため、図１４及び図１５に示すように、折り畳む途中や折り畳んだ状態での電源ケーブル１６の変形がピン１０ｄにより規制され、図１２に示すように直線状に延した際に必ずＷ字状に戻ることとなる。
【００４２】
次に、上述の実施形態の変形例について説明する。電気機器には直流で作動するために電源ケーブルの途中にＡＣアダプタが設けられている場合がある。上述の実施形態による折り畳み式ケーブルにおいても、途中にＡＣアダプタを設けることとしてもよい。
【００４３】
図１６は折り畳み式ケーブルの途中にＡＣアダプタを設けた例を示す図である。図１６に示す例では、折り畳み式ケーブルケース１０が、ＡＣアダプタ３０から電源プラグ１４までの間と、ＡＣアダプタ３０からＡＣプラグ１２までの間に設けられる。折り畳み式ケーブルケース１０の構造は上述の実施形態と同じであり、その説明は省略する。
【００４４】
図１６に示す例において、折り畳み式ケーブルケース１０の各ユニットケース１０ａは、ＡＣアダプタ３０の筐体の長さとほぼ同じ長さであり、折り畳み式ケーブルケース１０を折り畳んだ状態で、ＡＣアダプタ３０の筐体上に載せて固定しておくことができる。図１７に示すように、ＡＣアダプタ３０の筐体に第１の係合部として係合穴３０ａが設けられ、ユニットケース１０ａの外側に第２の係合部として係合突起１０ｅが設けられる。ユニットケース１０ａの係合突起１０ｅはＡＣアダプタ３０の係合穴３０ａと嵌合するような形状及びサイズである。
【００４５】
電源プラグ１４側の折り畳み式ケーブルケース１０及びＡＣプラグ１２側の折り畳み式ケーブルケース１０を折り畳んでロックベルト３２で固定し、ＡＣアダプタ３０の筐体上に載置する。このとき、折り畳んだ折り畳み式ケーブルケース１０の最下段のユニットケース１０ａに設けられている係合突起１０ｅを、ＡＣアダプタ３０の係合穴３０ａに嵌め込むことで、折り畳んだ折り畳み式ケーブルケース１０をＡＣアダプタ３０に固定することができる。
【００４６】
以上のように、折り畳み式ケーブルケース１０を折り畳んだ状態でＡＣアダプタ３０に固定しておくことで、折り畳み式ケーブルとＡＣアダプタとを小さくにまとめておくことができる。
【００４７】
本明細書は以下の事項を開示する。
（付記１）
複数の中空のユニットケースが直列に繋げられて形成されたケーブルケースと、
該ケーブルケースの内面に所定の位置で支持されて、直列に繋げられた前記ケーブルケース内を延在するケーブルと
を有し、
前記ユニットケースが直線状に整列した状態で、前記ユニットケースのうち隣り合う２つの間の接続部分において、前記ケーブルはＷ字状に折り曲げられている折り畳み式ケーブル。
（付記２）
付記１記載の折り畳み式ケーブルであって、
前記ケーブルの外周の所定の位置に、取り付け孔が形成された取り付け部が形成され、
前記ユニットケースの内面に設けられたケーブル固定用突起が前記取り付け孔に挿入されることで、前記ケーブルは前記ケーブルケース内に収容されて固定される折り畳み式ケーブル。
（付記３）
付記２記載の折り畳み式ケーブルであって、
前記ケーブル固定用突起は、前記ユニットケースの内面で前記ユニットケースに一体的に形成されたピンである折り畳み式ケーブル。
（付記４）
付記１乃至３のうちいずれか一項記載の折り畳み式ケーブルであって、
前記ユニットケースのうち、隣り合う２つのユニットケースの間の接続部分に弾性部材が設けられ、該弾性部材により該２つのユニットケース同士は互いに引っ張り合う折り畳み式ケーブル。
（付記５）
付記４記載の折り畳み式ケーブルであって、
前記接続部分において、前記２つのユニットケースの各々の端部から延出する逆曲がり防止部が設けられ、前記ユニットケースが直線状に配置された際に、該逆曲がり防止部の端面が互いに当接する折り畳み式ケーブル。
（付記６）
付記２乃至５のうちいずれか一項記載の折り畳み式ケーブルであって、
前記前記ケーブル固定用突起の近傍にケーブル形状維持用突起が設けられ、前記ケーブルは該ケーブル形状維持用突起により折り返されることでＷ字状に折り曲げられる折り畳み式ケーブル。
（付記７）
付記６記載の折り畳み式ケーブルであって、
前記ケーブル形状維持用突起は、前記ユニットケースの内面で前記ユニットケースに一体的に形成されたピンである折り畳み式ケーブル。
（付記８）
付記１乃至７のうちいずれか一項記載の折り畳み式ケーブルであって、
前記接続部分において、前記電源ケーブルを包囲するように蛇腹状のカバーが設けられる折り畳み式ケーブル。
（付記９）
付記１乃至８のうちいずれか一項記載の折り畳み式ケーブルであって、
前記ケーブルは一端にＡＣプラグが接続され他端に電源プラグが接続された電源ケーブルであり、該ＡＣプラグと該電源プラグは前記ケーブルケースの反対端側に設けたらる折り畳み式ケーブル。
（付記１０）
付記９記載の折り畳み式ケーブルであって、
前記電源ケーブルの途中にＡＣアダプタが接続され、前記ケーブルケースは、前記ＡＣアダプタと前記ＡＣプラグとの間の部分及び前記ＡＣアダプタと前記ＡＣプラグとの間の部分に分割される折り畳み式ケーブル。
（付記１１）
付記１０記載の折り畳み式ケーブルであって、
前記ＡＣアダプタに第１の係合部が形成され、且つＡＣアダプタに最も近いユニットケースに第２の係合部が形成され、該第１の係合部と該第２の係合部とを係合させることで、前記ケーブルケースを前記ＡＣアダプタに固定する折り畳み式ケーブル。
（付記１２）
付記１０記載の折り畳み式ケーブルであって、
前記第１の係合部は前記ＡＣアダプタの筐体に形成された係合穴であり、前記第２の係合部は前記ユニットケースに形成された係合突起である折り畳み式ケーブル。
【符号の説明】
【００４８】
１０  折り畳み式ケーブルケース
１０ａ  ユニットケース
１０ｂ  ピン
１０ｃ  逆曲がり防止部
１０ｄ  ピン
１０ｅ  係合突起
１２  ＡＣプラグ
１４  電源プラグ
１６  電源ケーブル
１６ａ  取り付け部
２０  コイルバネ
２２  蛇腹カバー
３０  ＡＣアダプタ
３０ａ  係合穴
３２  ロックベルト
【図１】
2010166713.tif 000003
【図２】
2010166713.tif 000004
【図３】
2010166713.tif 000005
【図５】
2010166713.tif 000006
【図６】
2010166713.tif 000007
【図７】
2010166713.tif 000008
【図８】
2010166713.tif 000009
【図９】
2010166713.tif 000010
【図１０】
2010166713.tif 000011
【図１２】
2010166713.tif 000012
【図１４】
2010166713.tif 000013
【図１５】
2010166713.tif 000014
【図１６】
2010166713.tif 000015
【図１７】
2010166713.tif 000016
【図４】
2010166713.tif 000017
【図１１】
2010166713.tif 000018
【図１３】
2010166713.tif 000019